(57)【要約】      （修正有）【課題】フォーカス調整時にユーザーが撮りたい画像を得るために、フォーカスリングをどちらに回せばいいかを判断することができる撮像装置を提供する。【解決手段】撮像手段と、撮像手段に被写体の光学像を導くための交換レンズと通信する通信手段と、通信手段を介して、装着された交換レンズのフォーカスリングの回転方向とフォーカスレンズの移動方向との関係を取得する取得手段と、交換レンズのフォーカスレンズを合焦位置よりもワイド側として撮像したワイド側画像と、合焦位置よりもテレ側として撮像したテレ側画像とを格納する格納手段と、ワイド側画像とテレ側画像とを、取得手段で取得した交換レンズのフォーカスリングの回転方向とフォーカスレンズの移動方向との関係に応じた配置で表示するように制御する表示制御手段とを有する。【選択図】図２
2014089329.tif 000002
【特許請求の範囲】
【請求項１】
撮像手段と、
前記撮像手段に被写体の光学像を導くための交換レンズと通信する通信手段と、
前記通信手段を介して、装着された交換レンズのフォーカスリングの回転方向とフォーカスレンズの移動方向との関係を取得する取得手段と、
前記交換レンズのフォーカスレンズを合焦位置よりもワイド側として撮像したワイド側画像と、前記合焦位置よりもテレ側として撮像したテレ側画像とを格納する格納手段と、
前記ワイド側画像と前記テレ側画像とを、前記取得手段で取得した前記交換レンズのフォーカスリングの回転方向とフォーカスレンズの移動方向との関係に応じた配置で表示するように制御する表示制御手段と
を有することを特徴とする撮像装置。
【請求項２】
前記ワイド側画像は、フォーカスレンズの位置を被写界深度分だけワイド側に動かして撮像された画像であり、前記テレ側画像は、フォーカスレンズの位置を被写界深度分だけテレ側に動かして撮像された画像であることを特徴とする請求項１に記載の撮像装置。
【請求項３】
フォーカスリングの回転を検出すると、前記ワイド側画像と前記テレ側画像との前記配置での表示を解除することを特徴とする請求項１または２に記載の撮像装置。
【請求項４】
静止画ファイルの記録が行われると前記ワイド側画像と前記テレ側画像との前記配置での表示を解除することを特徴とする請求項１乃至３の何れか１項に記載の撮像装置。
【請求項５】
ユーザーからの焦点調節指示の操作が行われると前記ワイド側画像と前記テレ側画像との前記配置での表示を行い、前記焦点調節指示の操作が解除されると前記ワイド側画像と前記テレ側画像との前記配置での表示を解除することを特徴とする請求項１乃至４のいずれか１項に記載の撮像装置。
【請求項６】
前記表示制御手段は、前記ワイド側画像と前記テレ側画像とを前記配置で表示する際に、前記ワイド側画像と前記テレ側画像のそれぞれについて焦点調節を行った位置を含む一部範囲を拡大した画像を表示するように制御することを特徴とする請求項１乃至５のいずれか１項に記載の撮像装置。
【請求項７】
前記表示制御手段は、前記ワイド側画像と前記テレ側画像との前記配置での表示の際に、同次画面にスルー画像も表示するように制御することを特徴とする請求項１乃至６の何れか１項に記載の撮像装置。
【請求項８】
撮像手段と、
前記撮像手段に被写体の光学像を導くための交換レンズと通信する通信手段とを有する撮像装置の制御方法であって、
前記通信手段を介して、装着された交換レンズのフォーカスリングの回転方向とフォーカスレンズの移動方向との関係を取得する取得ステップと、
前記交換レンズのフォーカスレンズを合焦位置よりもワイド側として撮像したワイド側画像と、前記合焦位置よりもテレ側として撮像したテレ側画像とを格納する格納ステップと、
前記ワイド側画像と前記テレ側画像とを、前記取得手段で取得した前記交換レンズのフォーカスリングの回転方向とフォーカスレンズの移動方向との関係に応じた配置で表示するように制御する表示制御ステップと
を有することを特徴とする撮像装置の制御方法。
【請求項９】
コンピュータを、請求項１乃至７のいずれか１項に記載された撮像装置の各手段として機能させるためのプログラム。
【請求項１０】
コンピュータを、請求項１乃至７のいずれか１項に記載された撮像装置の各手段として機能させるためのプログラムを格納したコンピュータが読み取り可能な記憶媒体。
【発明の詳細な説明】
【技術分野】
【０００１】
本発明は交換レンズを用いた撮像装置に関し、特に交換レンズのフォーカスリングを回転させる際の補助表示に関するものである。
【背景技術】
【０００２】
従来、交換レンズを用いて映像を記録する撮像装置が知られている。これらの撮像装置では、規格に則って作られたレンズ群を交換することで、様々な映像表現が可能となる。また交換レンズによっては被写界深度が浅い状態での撮影が可能なものがある。その場合撮像装置の自動焦点調整機能（オートフォーカス）を有効にしておきながら、ユーザがマニュアルで微調整を行いたいという要望に対応した、フルタイムマニュアルといった機能を備えたものもある。これらのレンズは、光学的な特性はもちろん、規格の範囲内で様々な仕様差があり、例えばフォーカスレンズを動かすためのフォーカスリングの回転方向と、実際にフォーカスレンズが動く方向が、レンズによって異なるものがある。このように操作部材の操作方向と、レンズの変化方向がレンズによって異なるため、ユーザーの混乱を招いてしまうという問題があった。
【０００３】
これ対し、ユーザーが操作部材を操作する際に操作部材が動く操作方向と、表示部に表示されるレンズの状態指標部が操作部材の操作に応じて変化する変化方向とが概ね一致するように表示するものがあった（特許文献１）。
【先行技術文献】
【特許文献】
【０００４】
【特許文献１】国際公開番号ＷＯ０９／０５０８６０
【発明の概要】
【発明が解決しようとする課題】
【０００５】
上記従来例では、表示部に表示されるレンズの状態指標部に、例えばフォーカスでは無限遠側／至近側の表示が出る。しかし、特にフルタイムマニュアル機能による調整は、オートフォーカスによる合焦時に行うものであり、実際に画像がどのように変化するかわかりにくい。そのため、ユーザが撮りたい画像を得るためには、フォーカスリングをどちらに回せばいいかわからないという課題がある。
【０００６】
そこで本発明では、フォーカス調整時にユーザーが撮りたい画像を得るために、フォーカスリングをどちらに回せばいいかを判断することができる撮像装置を提供することを目的とする。
【課題を解決するための手段】
【０００７】
上記課題を解決するために、本発明の撮像装置は、
撮像手段と、
前記撮像手段に被写体の光学像を導くための交換レンズと通信する通信手段と、
前記通信手段を介して、装着された交換レンズのフォーカスリングの回転方向とフォーカスレンズの移動方向との関係を取得する取得手段と、
前記交換レンズのフォーカスレンズを合焦位置よりもワイド側として撮像したワイド側画像と、前記合焦位置よりもテレ側として撮像したテレ側画像とを格納する格納手段と、
前記ワイド側画像と前記テレ側画像とを、前記取得手段で取得した前記交換レンズのフォーカスリングの回転方向とフォーカスレンズの移動方向との関係に応じた配置で表示するように制御する表示制御手段と
を有することを特徴とする。
【発明の効果】
【０００８】
以上説明したように、本発明によれば、交換レンズのフォーカスリングを用いてフォーカスを調整する際に、実際にレンズを動かした画像を見ることができるため、フォーカスリングをどちらに回せばよいか判断することができる。
【図面の簡単な説明】
【０００９】
【図１】実施例１の撮像装置のブロック図である。
【図２】実施例１の撮像装置の動作を説明するためのフローチャートである。
【図３】実施例１の撮像装置の表示部における表示例を示す図である。
【発明を実施するための形態】
【００１０】
以下、図面を参照して本発明の好適な実施形態について説明する。
【００１１】
図１は、実施例１の撮像装置１００の構成を示すブロック図である。
【００１２】
図１において、撮像部１０１は、撮影レンズにより取り込まれた被写体の光学像を撮像素子により画像信号に変換し、アナログデジタル変換、画像処理などを行い、画像データを生成する。また生成された画像データを評価し、レンズの焦点調節処理を行う。レンズ通信部１０２は、不図示の交換レンズとの通信を行い、装着された交換レンズから識別情報を受信する。メモリ１０３は、撮像部１０１により得られた画像データを一時的に記憶する。表示制御部１０４は、撮像部１０１により得られた画像データに係る映像や、撮像装置１００の操作画面、メニュー画面等を表示部１０５や、不図示の映像端子を介して外部のディスプレイに表示させる。符号化処理部１０６は、メモリ１０３に一時的に記憶された画像データを読み出して所定の符号化を行い、圧縮画像データ等を生成する。記録再生部１０７は、記録媒体１０８に対して、符号化処理部１０６で生成された圧縮画像データ等を記録したり、記録媒体１０８に記録された圧縮画像データ、各種データ、プログラムを読み出す。ここで、記録媒体１０８は、圧縮画像データ等を記録することができれば、磁気ディスク、光学式ディスク、半導体メモリなどのあらゆる方式の記録媒体を含む。
【００１３】
制御部１０９は、撮像装置１００の各ブロックに制御信号を送信することで撮像装置１００の各ブロックを制御することができ、各種制御を実行するためのＣＰＵやメモリなどからなる。操作部１１０は、ボタンやダイヤルなどからなり、ユーザの操作に応じて、指示信号を制御部１０９に送信する。データバス１１１は、画像データ等の各種データ、各種制御信号を撮像装置１００の各ブロックに供給する。
【００１４】
ここで、本実施例の撮像装置１００の通常の動作について説明する。
【００１５】
本実施例の撮像装置１００は、ユーザが操作部１１０を操作して電源を投入する指示が出されたことに応じて、付図示の電源供給部から、撮像装置の各ブロックに電源を供給する。
【００１６】
電源が供給されると、制御部１０９は、例えば、操作部１１０のモード切り換えスイッチが、例えば、撮影モード、再生モード等のどのモードであるかを操作部１１０からの指示信号により確認する。静止画記録モードでは、撮像部１０１により得られた画像データをファイルとして保存することができる。再生モードでは、記録媒体１０８に記録された画像データを記録再生部１０７により再生して表示部１０５に表示させることができる。
【００１７】
静止画記録モードでは、まず、制御部１０９は、撮影待機状態に移行させるように制御信号を撮像装置１００の各ブロックに送信し、以下のような動作をさせる。撮像部１０１は、撮影レンズにより取り込まれた被写体の光学像を撮像素子により画像信号に変換し、アナログデジタル変換、画像処理などを行い、画像データを生成する。そして、得られた画像データを表示処理部１０４に送信し、表示部１０５に表示させる。ユーザはこの様にして表示された画面を見ながら撮影の準備を行う。次に、ユーザが操作部１１０の記録ボタンを操作することにより記録の指示信号が制御部１０９に送信されると、制御部１０９は、撮像装置１００の各ブロックに記録の指示信号を送信し、以下のような動作をさせる。撮像部１０１は、撮影レンズにより取り込まれた被写体の光学像を撮像素子により画像信号に変換し、アナログデジタル変換、画像処理などを行い、画像データを生成する。また生成された画像データを評価し、レンズの焦点調節処理を行う。そして、得られた画像データを表示処理部１０４に送信し、表示部１０５に表示させる。また、得られた画像データをメモリ１０３送信する。符号化処理部１０６は、メモリ１０３に一時的に記憶された画像データを読み出して所定の符号化を行い、圧縮画像データ等を生成する。そして、制御部１０９は、これらの圧縮画像データを、記録再生部１０７に出力する。記録再生部１０７は、ＵＤＦ、ＦＡＴ等のファイルシステム管理のもとに、圧縮画像データを一つの静止画ファイルとして記録媒体１０８に書き込む。
【００１８】
次に、再生モードでは、制御部１０９は、再生状態に移行させるように制御信号を撮像装置１００の各ブロックに送信し、以下のような動作をさせる。記録媒体１０８に記録された圧縮画像データである静止画ファイルを記録再生部１０７が読出して、読出された圧縮画像データは、符号化処理部１０６に送る。符号化処理部１０６は、圧縮画像データを復号して、表示制御部１０４に送信する。表示制御部１０４は、復号された画像データを表示部１０５に表示させる。
【００１９】
本実施例の撮像装置は以上のように、画像、音声の記録再生を行うことができる。
【００２０】
次に、図２のフローチャートを用いて本実施例の動作を説明する。この処理は、記録媒体１０８に記録されたプログラムをメモリ１０３に展開して制御部９が実行することにより実現する。ユーザ操作により、撮像装置の電源が起動されると、本処理を開始する。。
【００２１】
電源起動後、Ｓ２０１では、制御部１０９は、レンズ通信部１０２を経由し、交換レンズから、交換レンズの識別情報、およびフォーカスリングの回転方向とフォーカスレンズの移動方向の対応関係を示す情報を取得する。この時、表示部１０５には、撮像部１０１で撮像された任意の周期で更新されるリアルタイム画像（ライブビュー画像、スルー画像）が表示される。
【００２２】
Ｓ２０２ではユーザが操作部１１０を操作（例えばシャッターボタンを半押し）することによる、オートフォーカスの実行指示（焦点調節指示）があったか否かを判定する。焦点調節指示があった場合はＳ２０３に進む。
【００２３】
Ｓ２０３では、フォーカスレンズを駆動して、焦点調節処理を行う。このときに、合焦位置に対して至近側／無限遠側にフォーカスレンズを移動して撮像した画像データ（スルー画像表示用として撮像された画像を流用しても良い）をメモリ１０３に格納しておく。焦点調節処理がＴＶＡＦ（コントラストＡＦ）である場合、合焦位置に対して必ず至近側／無限遠側にフォーカスレンズを移動させる制御が必要となる。例えば無限遠側から至近側に向かって焦点調節を行った場合、合焦位置を超えて至近側まで駆動した時に初めて合焦位置を検出できる。なお、ＴＶＡＦではない方式でＡＦ制御を行う場合は、あえてフォーカスレンズを合焦位置に対して至近側／無限遠側にフォーカスレンズを移動させて撮像を行い、それぞれの撮像画像をメモリ１０３に格納しておく。フォーカスレンズを移動して撮像した画像データは、至近側／無限遠側それぞれひとつずつ存在していればよいが、フォーカスレンズの移動量としては合焦位置に対して被写界深度分動かすといった制御が考えられる。
【００２４】
Ｓ２０４では、制御部１０９は、合焦したか否かを判定し、合焦したと判定した場合はＳ２０６に進む。
【００２５】
Ｓ２０５では、制御部１０９は、フォーカスレンズを合焦位置として撮像した画像（合焦画像）のうち、焦点調節を行った領域を含む一部領域を切り出して拡大する。また、Ｓ２０３でメモリ１０３に格納していた画像のうち、Ｓ２０４で確定した合焦位置に対して至近側／無限遠側にフォーカスレンズを移動して撮像した画像データとのそれぞれにおける焦点調節を行った領域を含む一部範囲を切り出して拡大する。
【００２６】
Ｓ２０６では、Ｓ２０５で切り出し拡大した、合焦画像を表示部１０５に表示させる。また、同じ画面に、合焦位置に対して至近側（ワイド側）にフォーカスレンズを移動して撮像された画像（ワイド側画像）、合焦位置に対して無限遠側（テレ側）にフォーカスレンズを移動して撮像された画像（テレ側画像）とを表示部１０５に表示させる。この時、表示レイアウトを、合焦画像、ワイド側画像、テレ側画像を、フォーカスリングの回転方向と関連付けて配置する。図３にこのときの表示例を得示す。合焦画像３０１は合焦画像の拡大画像であり、本表示中は任意の周期で更新されるリアルタイム画像である。接続されているレンズのフォーカスリングを左に回転させると、フォーカスレンズが無限遠側に移動する場合、領域３０２には、合焦位置に対して無限遠側にフォーカスレンズを移動して撮像されたテレ側画像の拡大画像が配置される。逆に、フォーカスレンズが至近側に移動する場合、領域３０２には合焦位置に対して至近側にフォーカスレンズを移動して撮像されたワイド側画像の拡大画像が配置される。このように配置した表示を行うことによって、ユーザーは、交換レンズのフォーカスリングを用いてフォーカスを調整する際に、実際にレンズを動かした画像を見ることができ、フォーカスリングをどちらに回せばよいか判断することができる。また、領域３０３には、画像３０２と反対側にフォーカスレンズを移動して撮像された画像が配置される。ガイダンス３０４はフォーカスリングの回転方向を示すガイダンスである。ガイダンス３０４は、フォーカスリングをどちらに回転させるとフォーカスレンズがテレ側に移動するのか（或いはワイド側に移動するのか）を識別可能なように表示する。ガイダンス３０４は必ずしも表示しなければならないものではないが、表示すれば、ユーザにフォーカスリングの回転方向と、回転させた時に得られる画像との関連をより確実に認識させることができる。。
【００２７】
Ｓ２０７では、図３の表示を解除するいずれかの条件に合致したか否かを判定し、合致した場合はＳ２０２に進む。図３の表示は、以下の３つの条件の何れかに合致すると解除し、通常のスルー画像だけの表示に遷移する。ひとつめは焦点調節指示が解除された場合（例えばシャッターボタンの半押しが解除された場合）である。ふたつめは静止画記録（静止画ファイルの記録）が行われた場合である。３つ目は、フォーカスリングの回動が検出された場合である。
【００２８】
上述の図２の処理の際には、フォーカスリングの回転操作が行われた場合には、回転操作に応じてフォーカスレンズを駆動してマニュアルフォーカスが行えるようになっている。
【００２９】
なお、制御部１０９の制御は１つのハードウェアが行ってもよいし、複数のハードウェアが処理を分担することで、装置全体の制御を行ってもよい。
【００３０】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００３１】
また、上述した実施形態においては、本発明を撮像装置１００に適用した場合を例にして説明したが、これはこの例に限定されず、交換レンズを装着可能で、撮像手段を有する電子機器であれば適用可能である。
【００３２】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2014089329.tif 000003
【図２】
2014089329.tif 000004
【図３】
2014089329.tif 000005